(57)【要約】【課題】一般のユーザに煩雑な作業を要求せずに、安定した精度で血圧値の測定を行うことを可能とする腕部位圧迫装置、及び血圧測定装置を提供すること。【解決手段】被測定者の腕部位を圧迫して阻血する腕部位圧迫装置1を次のように構成する。すなわち、所定の剛性を有する第１押圧部13及び第２押圧部23と、前記第１押圧部13が前記第２押圧部23に対向する面、及び前記第２押圧部23が前記第１押圧部13に対向する面に設けられ、流体が流入すると膨張して前記腕部位を押圧する流体袋30と、前記腕部位を挟持するように前記第１押圧部13及び前記第２押圧部23を付勢する付勢部材と、を備えさせる。【選択図】図1
2015036041.tif 000002
【特許請求の範囲】
【請求項１】
被測定者の腕部位を圧迫して阻血する腕部位圧迫装置であって、
所定の剛性を有する第１押圧部及び第２押圧部と、
前記第１押圧部が前記第２押圧部に対向する面、及び前記第２押圧部が前記第１押圧部に対向する面に設けられ、流体が流入すると膨張して前記腕部位を押圧する流体袋と、
前記腕部位を挟持するように前記第１押圧部及び前記第２押圧部を付勢する付勢部材と、
を備えることを特徴とする腕部位圧迫装置。
【請求項２】
前記腕部位を挟持する際の第１押圧部と前記第２押圧部との相対位置を設定する相対位置設定部を備えることを特徴とする請求項１に記載の腕部位圧迫装置。
【請求項３】
前記第１押圧部、前記第２押圧部、前記流体袋、及び前記付勢部材の組みを有する複数の押圧部材と、
前記複数の押圧部材を連結する連結部材と、
を備えることを特徴とする請求項１に記載の腕部位圧迫装置。
【請求項４】
前記連結部材は、隣り合う押圧部材を所定間隔だけ離して、前記複数の押圧部材を連結することを特徴とする請求項３に記載の腕部位圧迫装置。
【請求項５】
請求項１乃至４のうちいずれか１項に記載の腕部位圧迫装置と、
前記流体袋内の流体の状態を検出するセンサと、
前記センサの出力信号に基づいて、血圧を特定する血圧計測部と、
を備えることを特徴とする血圧測定装置。
【発明の詳細な説明】
【技術分野】
【０００１】
本発明は、腕部位圧迫装置、及び血圧測定装置に関する。
【背景技術】
【０００２】
現在、血圧測定装置は一般家庭にも広く普及している。それら普及している血圧測定装置には種々の態様のものがあり、そのうちの一つは、被測定者の上腕部位や手首部位に対し、動脈を圧迫するためのカフと称される部材を捲回して使用する電子血圧計である。
特許文献１には、可撓性のシート材料により構成され、給気されて膨縮する空気袋を備えるカフが開示されている。このカフは、生体に巻き付けられた状態において内側（生体側）に位置する内周側シートと、該内周側シートの外周側に位置する外周側シートとを備える。各シートの厚みは、従来のものよりも薄い０．１５ｍｍ以下とされている。これにより、当該血圧計用カフが生体に巻きつけられた状態における、外周側シートの周長と、内周側シートの周長との差を小さくし、内周側シートに発生する皺の発生を抑制している。
内周側シートのうち動脈に接する部位に皺が発生した場合、当該動脈を圧迫すべき空気袋が充分に膨張できず、当該動脈の圧迫が不充分となってしまうことがある。特許文献１は、このような現象を抑制することで、安定して血圧値の測定を行うことを図っている。
【先行技術文献】
【特許文献】
【０００３】
【特許文献１】特開２００６−２１８１７８号公報
【発明の概要】
【発明が解決しようとする課題】
【０００４】
ところで、被測定者の上腕部位や手首部位にカフを適切に巻き付ける作業自体が、一般のユーザにとっては容易ではない。すなわち、一般のユーザがカフを巻き付ける作業を行う場合、当該巻き付け具合が緩すぎたり締め付けすぎたりしがちである。このカフの巻き付け具合は、血圧の測定値に影響を与える。従って、ユーザによる巻き付け具合が、測定の度に異なっていれば、安定して血圧値の測定を行うことができない。特許文献１に開示されている技術では、この点が改善されていない。
本発明は、前記の事情に鑑みて為されたものであり、一般のユーザに煩雑な作業を要求せずに、安定した精度で血圧値の測定を行うことを可能とする腕部位圧迫装置、及び血圧測定装置を提供することを解決課題のひとつとする。
【課題を解決するための手段】
【０００５】
上記課題を解決するために、本発明の第１の態様による腕部位圧迫装置は、被測定者の腕部位を圧迫して阻血する腕部位圧迫装置であって、所定の剛性を有する第１押圧部及び第２押圧部と、前記第１押圧部が前記第２押圧部に対向する面、及び前記第２押圧部が前記第１押圧部に対向する面に設けられ、流体が流入すると膨張して前記腕部位を押圧する流体袋と、前記腕部位を挟持するように前記第１押圧部及び前記第２押圧部を付勢する付勢部材と、を備えることを特徴とする。
本発明の第１の態様による腕部位圧迫装置によれば、上腕部位が第１押圧部と第２押圧部とによって挟持された状態で流体袋が給気されて上腕部位が圧迫されている状態においても、第１押圧部及び第２押圧部は所定の剛性を有するため、第１押圧部及び第２押圧部が変形することはない。さらに、上述した付勢力は第１押圧部と第２押圧部との間の距離に応じた一定の力であれば、同一の上腕部位（同一の断面径の上腕部位）に関しては、第１押圧部と第２押圧部とによって挟持された状態で給気された流体袋によって加えられる押圧力は常に一定の力となる。
このように、第１の態様による腕部位圧迫装置によれば、同一の上腕部位に対しては常に一定の押圧力で押圧することが可能となり、毎回の測定における上腕部位に対する押圧力のばらつきが抑制されるため、安定して血圧値の測定を行うことが可能となる。また、第１の態様による腕部位圧迫装置は簡易な構造を採るため容易に持ち運ぶことができる。
【０００６】
上記課題を解決するために、本発明の第２の態様による腕部位圧迫装置は、第１の態様による腕部位圧迫装置であって、前記腕部位を挟持する際の第１押圧部と前記第２押圧部との相対位置を設定する相対位置設定部を備えることを特徴とする。
第２の態様による腕部位圧迫装置によれば、腕部位の太さに応じて第１押圧部と第２押圧部との相対位置を変更することができる。従って、標準的な太さよりも細い腕部位や太い腕部位についても適切に挟持することができる。
【０００７】
上記課題を解決するために、本発明の第３の態様による腕部位圧迫装置は、第１の態様による腕部位圧迫装置であって、前記第１押圧部、前記第２押圧部、前記流体袋、及び前記付勢部材の組みを有する複数の押圧部材と、前記複数の押圧部材を連結する連結部材と、を備えることを特徴とする。
本発明の第３の態様による腕部位圧迫装置によれば、複数の押圧部材を備えるため、被測定者の上腕部位の断面径が一定でない場合、例えば上腕部位がテーパー形状を呈する場合であっても、当該上腕部位の各部をその断面径に応じて適切に挟持することができる。すなわち、被測定者の腕部位の断面径が一定でない場合であっても、当該上腕部位の各部をその断面径に応じて適切に挟持し、安定した精度で血圧値の測定を行うことが可能となる。
上記課題を解決するために、本発明の第４の態様による腕部位圧迫装置は、第３の態様による腕部位圧迫装置であって、前記連結部材は、隣り合う押圧部材を所定間隔だけ離して、前記複数の押圧部材を連結することを特徴とする。
この第４の態様による腕部位圧迫装置によれば、隣り合う押圧部材が所定間隔だけ離して連結される。これにより、隣り合う押圧部材同士が互いに干渉してしまうことを防止することができる。
【０００８】
上記課題を解決するために、本発明の第５の態様による血圧測定装置は、第１の態様乃至第４の態様のうちいずれか１態様に記載の腕部位圧迫装置と、前記流体袋内の流体の状態を検出するセンサと、前記センサの出力信号に基づいて、血圧を特定する血圧計測部と、を備えることを特徴とする。
前記センサは、例えば空気袋内の圧力（カフ圧）を検出する圧力センサを挙げることができる。この場合、血圧計測部は、前記圧力センサの出力信号から脈波情報を生成し、該脈波情報に基づいて血圧値を特定する。また、前記センサは、例えばコロトコフ音を検出するマイクロフォンを挙げることができる。この場合、血圧測定部は、前記マイクロフォンによって検出されたコロトコフ音に基づいて血圧値を特定する。
本発明の第５の態様による血圧測定装置によれば、腕部位圧迫装置として第１の態様または第２の態様による腕部位圧迫装置を備えるため、同一の上腕部位に対しては常に一定の押圧力で押圧することが可能となり、毎回の測定における上腕部位に対する押圧力のばらつきが抑制されるため、安定して血圧値の測定を行うことが可能となる。また、腕部位圧迫装置は簡易な構造を採るため容易に持ち運ぶことができる。
【図面の簡単な説明】
【０００９】
【図１】本発明の第１実施形態に係る腕部位圧迫装置の一構成例を示す斜視図。
【図２】図１に示す腕部位圧迫装置を矢印Ａで示す方向から観た側面図。
【図３】突起部がレール部を移動可能な状態に回動させられた状態の腕部位圧迫装置を示す図。
【図４】図３に示す腕部位圧迫装置における第１接続部と第２接続部との接続態様を拡大して示す図。
【図５】突起部がレール部を移動して他方端部に到達した後の腕部位圧迫装置を示す図。
【図６】図５に示す腕部位圧迫装置における第１接続部と第２接続部との接続態様を拡大して示す図。
【図７】上腕部位を挟持する腕部位圧迫装置の一例を示す図。
【図８】本発明の第２実施形態に係る腕部位圧迫装置の一構成例を示す斜視図。
【図９】本発明の第１実施形態または第２実施形態に係る腕部位圧迫装置を適用した血圧測定装置の構成例を示すブロック図。
【発明を実施するための形態】
【００１０】
以下、図面を参照して本発明の実施形態を説明する。
［第１実施形態］
図１は、本発明の第１実施形態に係る腕部位圧迫装置の一構成例を示す斜視図である。図２は、図１に示す腕部位圧迫装置を矢印Ａで示す方向から観た側面図である。本第１実施形態に係る腕部位圧迫装置は、例えば血圧測定装置に適用することで、血圧測定の際に被測定者の上腕部位を阻血するカフとして用いることができる。
【００１１】
同図に示すように、腕部位圧迫装置１は、第１部材１０と、第２部材２０と、空気袋３０と、付勢部材（不図示）とを備える。第１部材１０は、第１把持部１１と、第１押圧部１３と、第１接続部１５とを備える。第２部材は、第２把持部２１と、第２押圧部２３と、第２接続部２５とを備える。空気袋３０は、第１押圧部１３及び第２押圧部２３のうちに互いに対向する面に設けられ、給気されると膨張して被測定者の上腕部位を押圧して阻血する。空気袋３０はエアチューブ（不図示）を介して、血圧測定装置（不図示）が備える空気圧制御系統に接続される。空気圧制御系統は、カフ圧と称される空気袋３０内の圧力を検出する圧力センサと、空気袋３０に空気を供給するポンプと、空気袋３０の空気の排出・封入のために開閉される排気弁とを備える。
【００１２】
第１部材１０及び第２部材２０は、図１及び図２に示すように第１把持部１１と第２把持部２１とが互いに対向し、且つ、第１押圧部１３と第２押圧部２３とが互いに対向して対を成す。第１部材１０と第２部材２０とは、第１接続部１５及び第２接続部２５によって接続されている。ここで、第１押圧部１３と第２押圧部２３とは、付勢部材（不図示）によって互いに接近する方向に付勢力が与えられている。付勢部材（不図示）としては、例えばバネ等の弾性部材を挙げることができる。ここで、第１部材１０及び第２部材２０のうち少なくとも第１押圧部１３及び第２押圧部２３は、例えばプラスチック等の所定の剛性を有する材料で構成される。
【００１３】
第１部材１０と第２部材２０とは、当該腕部位圧迫装置１の両側面側で同様の接続構造によって接続されている。図２に示す例では、符号Ｃが付された円内に接続構造が示されている。同図に示すように、第１部材１０の第１接続部１５には、略長孔形状のスリット部１５ｓが形成されている。第２部材２０の第２接続部２５には、当該腕部位圧迫装置１の側面に垂直な方向（図２において紙面に垂直な方向）に凸の突起部２５ｔが、当該第２接続部２５と一体的に形成されている。そして、第２接続部２５の突起部２５ｔがスリット部１５ｓに挿入されることで、第１接続部１５に対する第２接続部２５の移動が規制される。当該腕部位圧迫装置１に外力が何ら印加されなければ、上述した付勢部材による付勢力で第２部材２０が回転し、突起部２５ｔは図２において矢印ｄ１で示す方向に回転する。
【００１４】
詳細には、スリット部１５ｓの形状は、図２に示すように両端部位及び中央部位のスリット幅が、その他の部位におけるスリット幅よりも広い幅に形成されている。以降、スリット部１５ｓの両端部位及び中央部位のスリット幅が広い部位を突起回動部１５ｓ２と称し、その他の部位をレール部１５ｓ１と称する。図１及び図２に示す例では、突起回動部１５ｓ２は、レール部１５ｓ１の幅より長い長さを直径とする略円形状に形成されている。
一方、突起部２５ｔの形状は、図１及び図２に示すように断面矩形形状であり、その短辺の長さはレール部１５ｓ１よりも短く、その長辺の長さはレール部１５ｓ１よりも長く且つ突起回動部１５ｓ２における最大径よりも短い。
【００１５】
図１及び図２に示す状態は、ユーザが第１把持部１１と第２把持部２１とを用いて突起部２５ｔを突起回動部１５ｓ２の中に位置させた後、第１把持部１１及び第２把持部２１から手を離して外力の印加を止めることで、上述した付勢力によって第１押圧部１３と第２押圧部２３とが互いに接近する方向に回動し、空気袋３０を介して第１押圧部１３と第２押圧部２３とによって被測定者の上腕部位が挟持された状態である。
このように、第１実施形態に係る腕部位圧迫装置１によれば、ユーザは第１把持部１１と第２把持部２１とを用いて、複数（本例では３個）設けられた突起回動部１５ｓ２のいずれかに突起部２５ｔを位置させるだけで、上述した付勢力によって第１押圧部１３と第２押圧部２３とによって上腕部位が挟持されて押圧される。
【００１６】
ここで、上腕部位が第１押圧部１３と第２押圧部２３とによって挟持された状態で空気袋３０が給気されて上腕部位が圧迫されている状態においても、上述したように第１押圧部１３及び第２押圧部２３は所定の剛性を有するため、第１押圧部１３及び第２押圧部２３が変形することはない。さらに、上述した付勢力は第１押圧部１３と第２押圧部２３との間の距離に応じた一定の力である。従って、同一の上腕部位（同一の断面径の上腕部位；以降同様）に関しては、第１押圧部１３と第２押圧部２３とによって挟持された状態で給気された空気袋３０によって加えられる押圧力は常に一定の力となる。
【００１７】
ところで、図３に示す状態は、図１及び図２に示す状態において、ユーザが第１把持部１１と第２把持部２１とに対して、第１押圧部１３と第２押圧部２３とを互いに離間させる方向に力を加えることで、突起部２５ｔを回動させてレール部１５ｓ１に進入可能にした状態である。図４は、図３において符号Ｃが付された円内に示される第１接続部１５と第２接続部２５との接続態様を拡大して示す図である。同図に示すように、突起部２５ｔは、第１部材１０に対する第２部材２０の回動によって、その長辺とスリット部１５ｓの長手方向とが平行になっている。この状態が、突起部２５ｔがスリット部１５ｓのレール部１５ｓ１に進入可能な状態である。
この状態において、図４において矢印ｄ２で示す方向（スリット部１５ｓの他方端部側へ向かう方向）へ第２部材２０を移動させ、突起部２５ｔをスリット部１５ｓの他方端部における突起回動部１５ｓ２に位置させることで、当該腕部位圧迫装置１は図５に示す状態になる。図６は、図５において符号Ｃが付された円内に示される第１接続部１５と第２接続部２５との接続態様を拡大して示す図である。
【００１８】
図５及び図６に示す状態において、被測定者の上腕部位を第１押圧部１３と第２押圧部２３との間に挿入した後、ユーザが第１把持部１１及び第２把持部２１から手を離して外力の印加を止めることで、上述した付勢力によって第１押圧部１３と第２押圧部２３とが互いに接近する方向に引っ張られ、図７に示すように空気袋３０を介して第１押圧部１３と第２押圧部２３とによって上腕部位が挟持される。図２に示す状態と比較すると明らかなように、図７に示す状態は、より太い上腕部位を圧迫するのに好適な状態である。
【００１９】
このように、第１実施形態に係る腕部位圧迫装置１では、第１接続部１５のスリット部１５ｓに設けられた複数の突起回動部１５ｓ２のいずれに突起部２５ｔを位置させるかを適宜選択することによって、各々の被測定者の上腕部位の太さに応じた好適な挟持態様で押圧することが可能となる。本例では、第１接続部１５のスリット部１５ｓに３個の突起回動部１５ｓ２を設けることで、被測定者の上腕部位の太さに応じて三段階の挟持態様で対応可能である。すなわち、複数の突起回動部１５ｓ２は、第１押圧部１３と第２押圧部２３との相対位置を段階的に設定する相対位置設定部として機能する。
【００２０】
以上説明したように、本発明の第１実施形態によれば、一般のユーザに煩雑な作業を要求せずに、安定した精度で血圧値の測定を行うことを可能とする腕部位圧迫装置を提供することができる。すなわち、第１実施形態に係る腕部位圧迫装置１によれば、同一の上腕部位に対しては常に一定の押圧力で押圧することが可能となり、毎回の測定における上腕部位に対する押圧力のばらつきが抑制されるため、安定して血圧値の測定を行うことが可能となる。また、第１実施形態に係る腕部位圧迫装置１は簡易な構造を採るため容易に持ち運ぶことができる。
【００２１】
なお、上述した第１接続部１５及び第２接続部２５による、第１部材１０と第２部材２０との接続態様はあくまでも一例であって、上述の例に限定されない。すなわち、上腕部位を挟持する際の第１押圧部１３と第２押圧部２３との相対位置を、挟持対象である上腕部位の断面径に応じて適宜設定可能であって、且つ、それらの設定が容易に再現可能な態様で接続されていれば、第１部材１０と第２部材２０とはどのような接続態様で接続されていてもよい。
【００２２】
［第２実施形態］
以下、本発明の第２実施形態に係る腕部位圧迫装置１について説明する。本発明の第２実施形態に係る腕部位圧迫装置１は、圧迫対象の腕部位の断面径が一定でない場合であっても、そのような腕部位の各部をそれぞれ適切に圧迫することができるように構成されている。なお、説明の重複を避けるため、第１実施形態に係る腕部位圧迫装置１との相違点のみを説明する。
【００２３】
図８は、本発明の第２実施形態に係る腕部位圧迫装置１の一構成例を示す斜視図である。同図に示すように、腕部位圧迫装置１は、複数（本例では３個）の圧迫部材１Ａ，１Ｂ，１Ｃを備える。各圧迫部材１Ａ，１Ｂ，１Ｃは、それぞれ、一対の把持部５１と、一対の押圧部５３と、一対の押圧部５３のうち互いに対向する面に設けられた空気袋３０と、一対の押圧部５３を互いに接近する方向に付勢する付勢部材（不図示）とを備える。圧迫部材１Ａと圧迫部材１Ｂとは連結部材５７によって所定間隔だけ離して連結され、同様に圧迫部材１Ｂと圧迫部材１Ｃとは連結部材５７によって所定間隔だけ離して連結されている。
【００２４】
一対の押圧部５３は所定の剛性を有する。従って、一対の押圧部５３によって上腕部位が挟持された状態で空気袋３０が給気され、空気袋３０によって上腕部位が圧迫されている状態においても、一対の押圧部５３が変形することはない。さらに、付勢部材（不図示）による付勢力は一対の押圧部５３間の距離に応じた一定の力である。従って、同一の上腕部位に関しては、一対の押圧部５３によって挟持された状態で給気された空気袋３０によって加えられる押圧力は常に一定の力となる。従って、毎回の測定における上腕部位に対する押圧力のばらつきが抑制されるため、安定して血圧値の測定を行うことが可能となる。
【００２５】
第２実施形態に係る腕部位圧迫装置１は、このように構成された複数の圧迫部材１Ａ，１Ｂ，１Ｃが連結部材５７によって連結されて成ることで、被測定者の上腕部位の断面径が一定でない場合、例えば上腕部位がテーパー形状を呈する場合であっても、当該上腕部位の各部をその断面径に応じて適切に挟持することができる。
以上説明したように、本発明の第２実施形態によれば、被測定者の腕部位の断面径が一定でない場合であっても、当該上腕部位の各部をその断面径に応じて適切に挟持し、安定した精度で血圧値の測定を行うことを可能とする腕部位圧迫装置を提供することができる。
なお、上述した例では、圧迫部材１Ａと圧迫部材１Ｂとを連結部材５７によって所定間隔だけ離して連結し、同様に圧迫部材１Ｂと圧迫部材１Ｃとを連結部材５７によって所定間隔だけ離して連結しているが、所定間隔を設けずに隣り合う圧迫部材同士が互いに接するように連結しても勿論よい。
また、上述した例では、３個の圧迫部材を備える構成としているが、２個以上であれば何個の圧迫部材を設けてもよい。
以上、各実施形態に基づいて本発明を説明したが、本発明は上述の例に限定されるものではなく、本発明の要旨の範囲内で変形及び応用が可能なことは勿論である。
【００２６】
［応用例］
本発明の第１実施形態及び第２実施形態に係る腕部位圧迫装置は、血圧測定装置に適用することができる。図９は、本発明の第１実施形態または第２実施形態に係る腕部位圧迫装置１を適用した血圧測定装置１００の構成例を示すブロック図である。同図に示す血圧測定装置１００としては、例えばオシロメトリック式電子血圧計を挙げることができる。同図に示すように、血圧測定装置１００は、腕部位圧迫装置１と、エアチューブ１０１と、圧力センサ１０３と、ポンプ１０５と、排気弁１０７と、電源１１３と、操作部１１５と、表示部１１７と、制御部１１９とを備える。
【００２７】
制御部１１９は、当該血圧測定装置１００の各部を統括的に制御する。電源１１３は、当該血圧測定装置１００の駆動電源である。操作部１１５は、当該血圧測定装置１００に種々の処理を実行させるための操作部材である。表示部１１７は、当該血圧測定装置１００により測定された血圧値を表示する。
空気袋３０は、エアチューブ１０１によって、当該空気袋３０内の圧力（以降、カフ圧と略称する）を検出する圧力センサと、当該空気袋３０に空気を供給するポンプと、当該空気袋３０の空気の排出・封入の際に開閉される排気弁１０７とに接続されている。圧力センサ１０３から出力された空気袋３０内の圧力を示す信号は制御部１１９に出力される。ポンプ１０５の駆動制御及び排気弁１０７の開閉制御は、制御部１１９によって行われる。
【００２８】
制御部１１９は、空気袋３０に空気を封入して被測定者の上腕部位を押圧して阻血した後、カフ圧を減圧していき、この減圧過程におけるカフ圧の変化（圧脈波）から脈波情報を生成し、該脈波情報に基づいて血圧値を特定する。血圧値の特定に係る処理は公知の処理であるので、ここでは詳細な説明を省略する。
ここで、腕部位圧迫装置１は、本発明の第１実施形態または第２実施形態に係る腕部位圧迫装置１であるため、同一の上腕部位に対しては常に一定の押圧力で押圧することが可能となり、毎回の測定における上腕部位に対する押圧力のばらつきが抑制されるため、安定して血圧値の測定を行うことが可能となる。また、腕部位圧迫装置１は簡易な構造を採るため容易に持ち運ぶことができる。
【００２９】
以上説明したように、本応用例によれば、一般のユーザに煩雑な作業を要求せずに、安定した精度で血圧値の測定を行う血圧測定装置を提供することができる。
なお、本応用例では、本発明の第１実施形態または第２実施形態に係る腕部位圧迫装置１を適用する血圧測定装置１００としてオシロメトリック式電子血圧計を例にして説明したが、本発明の第１実施形態及び第２実施形態に係る腕部位圧迫装置１の適用対象はこれに限定されるものではない。例えば、腕部位圧迫装置１にマイクロフォンを備えさせ、該マイクロフォンによってコロトコフ音を検出し、該コロトコフ音に基づいて血圧値を特定する自動血圧計にも、本発明の第１実施形態または第２実施形態に係る腕部位圧迫装置１を適用することができる。
【００３０】
さらに、上述した実施形態及び応用例には種々の段階の発明が含まれており、開示した複数の構成要件の適当な組み合わせにより種々の発明が抽出され得る。例えば、実施形態に示す全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
なお、各図において、各部の寸法及び縮尺は、実際のものと適宜に異ならせている。また、各実施形態は、本発明の好適な具体例であるから、技術的に好ましい種々の限定が付されているが、本発明の範囲は、特に本発明を限定する旨の記載がない限り、それらの形態に限られるものではない。
【符号の説明】
【００３１】
１…腕部位圧迫装置、１０…第１部材、１３…第１押圧部、１１…第１把持部、１５…第１接続部、１５ｓ…スリット部、１５ｓ１…レール部、１５ｓ２…突起回動部、１Ａ，１Ｂ，１Ｃ…圧迫部材、２０…第２部材、２１…第２把持部、２３…第２押圧部、２５…第２接続部、２５ｔ…突起部、３０…空気袋、５１…把持部、５３…押圧部、５７…連結部材、１００…血圧測定装置、１０１…エアチューブ、１０３…圧力センサ、１０５…ポンプ、１０７…排気弁、１１３…電源、１１５…操作部、１１７…表示部、１１９…制御部。
【図１】
2015036041.tif 000003
【図２】
2015036041.tif 000004
【図３】
2015036041.tif 000005
【図４】
2015036041.tif 000006
【図５】
2015036041.tif 000007
【図６】
2015036041.tif 000008
【図７】
2015036041.tif 000009
【図８】
2015036041.tif 000010
【図９】
2015036041.tif 000011